(57)【特許請求の範囲】
【請求項１】
肌当接面側の表面シート、非肌当接面側の裏面シート、及び該両シート間に介在された吸収体を備える吸収性本体に、該吸収性本体の長手方向の両側部に防漏壁をなす伸縮性シートが配されている吸収性物品であって、
前記吸収性本体は、その長手方向中央部において、幅方向周辺部より幅方向中央部が肌当接面側に高くされた中高部を有し、
前記吸収性本体両側の防漏壁はそれぞれ、自然形状において、肌当接面側に凸状になりながら両側壁面が外側に膨らむ張出部をなすよう内部に空洞を保持して起立し、該起立した防漏壁をなす前記伸縮性シートはその幅方向断面において幅方向内方下端部及び幅方向外方下端部で前記吸収性本体に固定されており、前記起立した各防漏壁の幅方向断面には肌当接面側上端部から前記幅方向外方下端部の間に前記防漏壁の内部の空洞側に入り込む折込部がある吸収性物品。
【請求項２】
前記防漏壁の折込部に対応する位置を境界として前記防漏壁内部の空洞が上部空洞領域と下部空洞領域とに区分される請求項１に記載の吸収性物品。
【請求項３】
前記吸収性本体の長手方向中央部の幅方向周辺部において、前記表面シート及び前記吸収体を一体化する窪みが前記吸収性本体の長手方向に延びるよう形成されている請求項１又は２に記載の吸収性物品。
【請求項４】
前記防漏壁の高さは、前記吸収性本体の長手方向後方部における高さが前記長手方向中央部の高さより低くされている請求項１〜３のいずれか１項に記載の吸収性物品。
【請求項５】
前記吸収性本体の長手方向中央部において、その幅方向周辺部が底面をなし、幅方向中央部の前記中高部と前記防漏壁とが側壁をなし、自然形状において前記中高部の両外側方に肌当接面側に凹状となるポケット状部が形成される請求項１〜４のいずれか１項に記載の吸収性物品。
【請求項６】
前記吸収性本体の長手方向中央部は、着用時の圧力による変形によっても、その幅方向周辺部より幅方向中央部の高くされた形状が維持される請求項１〜５のいずれか１項に記載の吸収性物品。
【請求項７】
前記伸縮性シートは、シート材及び弾性部材を有する帯状の複合シートである請求項１〜６のいずれか１項に記載の吸収性物品。
【発明の詳細な説明】
【技術分野】
【０００１】
本発明は、着用者の肌に当接する凸状の防漏壁を備えた、生理用ナプキン、失禁パット等の吸収性物品に関する。
【背景技術】
【０００２】
従来、立体ギャザーを備えた生理用ナプキン等の吸収性物品において、立体ギャザーに、着用時に着用者の肌に面で当接する弾性伸縮部を有するものが知られている。しかし、上記従来のものは、立体ギャザーの着用者の肌に当たる感触が、必ずしも良好ではなかった。例えば、ゴワゴワしていたり、不規則な皺によって肌触りやクッション性に劣るものが多かった。また、弾性伸縮部の形状が安定に保持されず、使用中に弾性伸縮部がヨレたり望まない方向に縮んだりして、フィット性や漏れ防止性の向上効果が得られないことがあった。
【０００３】
このため、吸収性物品の両側部にシート状の弾性部材を幅方向断面が空洞のアーチ状となるよう配置し、柔軟性と防漏性の高い防漏壁を形成したものが提案されている（特許文献１）。これによれば、装着者の身体形状に添う形にアーチ形状が変形してフィットし、液体等の横漏れ防止性を示す。また、上記のように吸収性物品の両側部に幅方向断面がアーチ形状の防漏壁を形成すると、良好なフィット性を示す。そして、防漏壁の両端部が固定されている形状であることよって、使用中に圧力を受けても固定されている両端部よりはみ出しにくく、間接的な汚れが抑制される。このため、実際の横漏れ防止性に加え、横漏れを防止する見た目の印象も強い。
【０００４】
また、特許文献１のものとは異なる形態の空洞の防漏壁を吸収性物品の両側部に配したものが提案されている（特許文献２）。この技術によれば、装着者の動きにあわせて形状は容易に変形して良好にフィットし、ループ部による緩衝力が高くなされているため横漏れ防止性を有するとされている。
【０００５】
【特許文献１】特開平１１−２９９８２１号公報
【特許文献２】特開平１１−１９１２３号公報
【発明の開示】
【発明が解決しようとする課題】
【０００６】
近年、夜用の生理用ナプキン等、吸収性物品の長さが益々長くなっている。それにつれ防漏壁も長くなるため更に高いギャザーの起立安定性が必要とされるが、例えば特許文献２に開示されたナプキンのように表面シートに起立ギャザーをなす部材を連続的に一定の形態で固定したのでは、長尺の吸収性物品の中央部ではギャザーの形状が安定化できず、十分なフィット性、柔軟性、防漏性を得ることは困難であると考えられる。
【０００７】
上記の点に鑑み、本発明は、高いフィット性及び柔軟性を有し、しかも液漏れ防止性に優れる吸収性物品の提供を目的とする。また、本発明は上記の優れた特性を有し、夜用ナプキン等の長尺の吸収性物品にも好適に対応しうる起立ギャザーを配設した吸収性物品の提供を目的とする。
【課題を解決するための手段】
【０００８】
本発明の上記課題は、肌当接面側の表面シート、非肌当接面側の裏面シート、及び該両シート間に介在された吸収体を備える吸収性本体に、該吸収性本体の長手方向の両側部に防漏壁をなす伸縮性シートが配されている吸収性物品であって、前記吸収性本体は、その長手方向中央部において、幅方向周辺部より幅方向中央部が肌当接面側に高くされた中高部を有し、前記吸収性本体両側の防漏壁はそれぞれ、自然形状において、肌当接面側に凸状になりながら両側壁面が外側に膨らむ張出部をなすよう内部に空洞を保持して起立し、該起立した防漏壁をなす前記伸縮性シートはその幅方向断面において幅方向内方下端部及び幅方向外方下端部で前記吸収性本体に固定されており、前記起立した各防漏壁の幅方向断面には肌当接面側上端部から前記幅方向外方下端部の間に前記防漏壁の内部の空洞側に入り込む折込部がある吸収性物品により解決された。
【発明の効果】
【０００９】
本発明の吸収性物品は、防漏壁を形成したことによる吸収性本体の過度の湾曲や吸収性本体の身体からの離間を防止し、適度な柔軟性により着用中に強い違和感を与えることなく安定的したフィット性を示し、しかも液漏れを起こしにくくするという優れた作用効果を奏する。また、視覚的にも柔軟性と液漏れ防止性とを認知しやすい。さらにまた、上記の優れた機能を有し長尺の夜用ナプキン等にも好適に対応しうる。
【発明を実施するための最良の形態】
【００１０】
以下、本発明の吸収性物品を、その好ましい一実施形態である生理用ナプキンに基づき図面を参照して説明する。図１は、本発明の好ましい実施形態としての生理用ナプキンを一部断面により模式的に示す斜視図である。図２は図１に示した生理用ナプキンの断面を拡大して示した部分断面図である。図３は図１の生理用ナプキンを伸長して全体を模式的に示した平面図である（図１に示された断面は、自然形状における図３のＩ−Ｉ線断面を拡大して示したものに相当する。）。
【００１１】
本実施形態のナプキン１０は、図１に示すように、肌当接面側に位置する表面シート２、非肌当接面側に位置する裏面シート３、及び該両シート間に配置された吸収体４を具備する縦長の吸収性本体１を有する。そして、本実施形態のナプキン１０はさらに吸収性本体１の長手方向両側部に延設された一対の防漏壁６を形成する伸縮性シート７を有する。本発明において防漏壁とは、吸収性物品の長手方向の両側部において液体等の漏れ防止性を示す壁状構造部を意味する。図１に示したものにおいては伸縮性シート７で形成された起立部（防漏壁）６であり、特にその断面において、幅方向内方下端部１３ａから幅方向外方下端部１３ｂまでの領域における構造部である（図２参照）。なお、本実施形態において防漏壁は物品長手方向の中央部の防漏壁６（６ｂ）に対し、その前方部の防漏壁６（６ａ）及び後方部の防漏壁６（６ｃ）の高さが低くなるようにされている（図３〜図５参照）。特に断らない限り防漏壁というとき中央部の防漏壁６ｂをさすが、それぞれを区別するときには防漏壁６ａ，６ｂ，６ｃとして符号を変え説明する。
本発明において吸収性本体ないし吸収性物品の長手方向の側部とは、吸収性本体の幅方向中央線ｗｃより側方（ｗａの方向）であればその部分は特に限定されないが、物品前方部ｌ２（図３参照）における幅の１／４の位置にあたるｗｂより外側方であることが好ましい。本実施形態のナプキン１０は、排泄領域に相当する物品中央部ｌ３（図３参照）において吸収体４が上層吸収体４ａと下層吸収体４ｂとの２層から形成されている。そして、その幅方向周辺部Ｗ２より幅方向中央部Ｗ１が高くされ、吸収体の中高部１ａをなす構造とされている（図１，図２参照）。
【００１２】
表面シート２は、防漏壁６を形成する伸縮性シート７と吸収体上側の内方下端部１３ａを含む界面で接合されている。そして該伸縮性シート７は防漏壁６を形成しながら吸収体４の幅方向側縁４ｅより外方に延在し、外方下端部１３ｂで裏面シート３に接合されている。したがってまた、裏面シート３は、吸収体４の幅方向側縁４ｅから外方に延在し、上記伸縮性シート７とともに延出部（フラップ部）Ｗ３におけるウイング１８を構成している。
【００１３】
伸縮性シート７及び裏面シート３は、吸収体４の外周縁から長手方向及び幅方向外方に延出し、裏面シート３と伸縮性シート７との外周縁によってナプキン１０の外形をなしている。この裏面シート３と伸縮性シート７とは、接着剤やヒートシール等の接合手段によって互いに接合固定され周縁シール部１７を形成している。ナプキン１０の長手方向吸収中央部ｌ３（排泄領域）では下着のクロッチ部を覆い汚れ防止と粘着剤による固定をおこなうためのウイング１８が形成されている。なお、本発明において、「長手方向」とは、特に断らない限り、吸収性物品の長辺に沿う方向（図３ではＹ方向）をいい、「幅方向」とは、長手方向と直交する方向（図３ではＸ方向）をいう。また、「肌当接面」とは、吸収性物品着用時に着用者の肌側に向けられる面であり、「非肌当接面」とは、吸収性物品着用時に下着側（着用者の肌側とは反対側）に向けられる面である。
【００１４】
本実施形態の生理用ナプキン１０では、図１〜図３に示すように、肌当接面側から非肌当接面側に窪まされた、生理用ナプキン１０の長手方向に延びる溝部１４がエンボス加工により形成されている。本実施形態においてこの溝部１４は、表面シート２側から下層吸収体４ｂが部分的に窪む程度の深さで形成され、両者が一体化されている。また、排泄領域となる長手方向物品中央部ｌ３と長手方向物品前方部ｌ２及び後方部ｌ４の境界ｋ１及びｋ２では、それぞれ、平面視において溝部１４のなす列が幅方向内方に入り込むように形成され、括れ部１４ａ及び１４ｂが形成されている。溝部１４の形成方法については通常のエンボス加工技術を用いることができる。本実施形態において溝部１４は吸収性本体の長手方向の両側に沿う形状で示されているが、本実施形態のように、ドット状の連なりとして形成されていてもよく、前方及び後方では幅方向に跨る溝によって、両側部の溝１４を連結した形状でもよい。なお、本実施形態においては、吸収性物品の長手方向において機能的に、物品中央部ｌ３、物品前方部ｌ２、物品後方部ｌ４を区分し、さらにその両端において前方端部ｌ１及び後方端部ｌ５を領域化して区別して示しているが、本実施形態では溝部１４の形状や、その括れ部１４ａ，１４ｂ、さらに防漏壁６との長手方向における作用を考慮し適宜各領域の大きさや形状を定めることができる。なお、上記吸収中央部ｌ３は経血等の排泄を直接受ける領域となるため、特にこの部分を排泄領域とよぶことがある。
【００１５】
図４は図２に示したＩＶ−ＩＶ線断面、図５はＶ−Ｖ線断面における自然形状での形状をさらに模式化して示した部分断面図である。本実施形態の生理用ナプキン１０の吸収性本体１の長手方向両側部に形成された防漏壁６は、図４及び図５にそれぞれ示すように、物品前方部ｌ２及び物品後方部ｌ４においてその自然形状における高さが低くなるようにされている。物品前方部ｌ２においては、中央部防漏壁６ｂでいうと上部空洞領域Ｄ１にあたる部分を厚み方向に押しつぶすように折込み、対向する内面を固着部１１（１１ａ）で固着している。このようにすることで、空洞領域Ｄ１を形成させないようにして、防漏壁に対応する高さを排泄領域ｌ３より抑制している。吸収後方部ｌ４においては、中央部防漏壁６ｂでいうと内方及び外方の折込部９（９ａ、９ｂ）にあたる部分の周辺で、各々の高さ方向でつまみこむようにして固定する固着部１１（１１ｂ）によって、上部空洞領域Ｄ１ａをほぼ維持しながらも防漏壁内部の空洞領域Ｄ１より小さくし、その高さを吸収中央部（排泄領域）ｌ３より低くしている。この高さ抑制された前方部防漏壁６ａ及び後方部防漏壁６ｃの使用時の、中央部防漏壁６ｂに対する作用等については後述する。なお、物品長手方向において、中央部防漏壁６ｂとその前後の高さ抑制された防漏壁６ａ，６ｃとは自然形状において除々にその高さが変化するようにされていることが好ましく、物品中央部（排泄領域）ｌ３を区分する境界線Ｋ１、Ｋ２のあたりでその高さが変化するようにすることが好ましい。
【００１６】
本実施形態の生理用ナプキン１０においては、図１に示すように、帯状の伸縮性シート７が、生理用ナプキン１０の長手方向に延びるよう、その両側に配設固定されている。そしてこの伸縮性シート７の収縮により、少なくともその一部において、自然形状で肌当接面側に凸曲面形状の立体形態を有する防漏壁６ｂが起立してあらわれるように形成されている。この起立した防漏壁６ｂの頂部高さｈ１は、吸収体４の高さｈ２よりも肌当接面側に高くなるようにされている。そして、防漏壁６ｂの幅方向の断面形状は肌当接面側に凸の円弧形状の内部空洞領域Ｄ１及びＤ２を形成し、この凸曲面形状が排泄領域ｌ３において長手方向に緩やかに湾曲しながら延びる特有の立体形態が造り出される。ここで、一対の上記伸縮性シート７は、それぞれ、生理用ナプキン１０の長手方向に伸張された状態で、その両側縁が固定されている。
【００１７】
本実施形態において物品中央部（排泄領域）ｌ３における防漏壁６ｂは、図１に示すように伸縮性シートが吸収性本体に固定された内方折込部９（９ａ）と外方折込部９（９ｂ）の内端より張り出した両側の張出部６ｓａ、６ｓｂを有する。そして防漏壁の上部において略「Ω」を形成しその内部に上部空洞領域Ｄ１を包含し、外方折込部９ｂと外方下端部１３ｂの間には吸収体側端部４ｅと伸縮性シート７とが離間してなす下部空洞領域Ｄ２を形成している。
【００１８】
本実施形態において、伸縮性シート７は疎水性の不織布である２層のシート材料７ａ及び７ｂと両シートに介在された糸状の弾性部材１２により構成され、糸状弾性部材が入り込んだ小凸部２１がシート材料に複数形成され、長手方向に該小凸部２１が延びている。幅方向中央部Ｗ１側の内方下端部１３ａは、表面シート２の肌当接面側に伸縮性シート７を配して接合されていることによって、内方折込部９ａはその形状が安定化されている。他方、外方折込部９ｂは、物品前方部ｌ２及び物品後方部ｌ４の防漏壁の高さを低くする固着部１１による立体賦形によって、自然形状ないし着用時の形状において安定して形されるようにされている。すなわち、物品中央部ｌ３における防漏壁６ｂの起立形状は、その長手方向両側の前方部防漏壁６ａ及び後方部防漏壁６ｃとの形態的相互作用により一層安定化されている。このようにΩ形状の上部空洞領域Ｄ１とその下方の下部空洞領域Ｄ２とが形成されることで、上部空洞領域Ｄ１の形状変形による身体へのフィット性、防漏壁高さと折込部９による下面接触防止による漏れ防止性、及び下部空洞領域Ｄ２による吸収体からの染み出し防止性が一層高まる。
【００１９】
本実施形態において内方下端部１３ａは、吸収性本体１の表面シート２と伸縮性シート７との積層界面として空洞領域Ｄ１側の端部をなす部分であるが、この積層界面の接合は例えば接着剤又はヒートシールによって行うことができ、本実施形態においてはヒートシール加工により接合されている。外方下端部１３ｂも同様に伸縮性シート７と裏面シート３との積層界面の空洞領域Ｄ２側の端部であるが、この積層界面の接合は接着剤又はヒートシールによって行うことができ、本実施形態では接着剤をスパイラル法、ビード法、カーテン塗工法等の手段により幅方向延出部で固定されている。
【００２０】
さらに、折込部９の形成により区分されるΩ形状の上部空洞領域Ｄ１と、下部空洞領域Ｄ２とに機能的に防漏壁内部が分離されていることによって、折込部９（９ａ，９ｂ）があたかも可とう軸のように作用し、上部の空洞領域Ｄ１をなす防漏壁上部６ｇが変形したときにも、その影響が下部空洞領域Ｄ２をなす防漏壁下部６ｈに及びにくく、あたかもその土台が安定化したかのように上部空洞領域Ｄ１の復元性が高まる（図２、図７参照）。折込部９は外方側の折込部９ｂのみ形成されていてもよいが、上部空洞領域Ｄ１の動きへの追従性と復元性を高める観点から内方折込部９ａ及び外方折込部９ｂの両方が形成されていることが好ましい。外方の折込部９ｂと内方の折込部９ａは同程度もしくは外方側がより折り込まれているほうが追従性及び防漏性の点から好ましく、内方及び外方の折込部は接触せず距離が隔てられているほうが、防漏壁の形状維持の観点から好ましい。折込部９ａ及び９ｂ間の距離ｄ１は、内方張出部６ｓａから折込部９ａまでの面間距離ｄ２と同等かそれ以上であることが好ましく、内方と外方の張出部６ｓａ及び６ｓｂからそれぞれ折込部９ａ及び９ｂの距離を足し合わせた距離（ｄ２＋ｄ３）よりも短いことが防漏壁の形状維持の点から好ましい。具体的には、折込部間の距離ｄ１は、１〜１５ｍｍが好ましく、３〜１０ｍｍであることが好ましい。なお、張出部から折込部の距離ｄ２，ｄ３及び折込部間の距離ｄ１は、各々の部位における断面形状より計測することができるが、ｄ１が計測しにくい場合があり、生理用ナプキン後方部の高さ抑制固着部１１の間隔ｄ４（図５）と排泄領域における折込み部間の距離ｄ１が変わらない場合には、ｄ４の値をｄ１とし排泄領域の防漏壁の幅よりｄ４の値を引いて２で除すようにして簡略的に算出することもできる。
【００２１】
図６は、本実施形態のナプキン１０の着用時の一実施態様を図２におけるＩ−Ｉ線断によって模式的に示す断面図である。このときナプキン１０のサイドウィング部１８を下着（図示せず）の背面に折り返すようにして着用している。本実施形態における生理用ナプキンでは、物品長手方向の中央部ｌ３の幅方向周辺部Ｗ２において吸収体に窪みを形成する溝部１４が形成されている。そして吸収性本体の長手方向中央部において、この溝部１４の間に吸収性本体の中高部１ａが形成されている。溝部１４の深さは、部分的に深い高圧搾部と高圧搾部間の低圧搾部より構成されている。溝部１４は平面視において中高部１ａの内部の上層吸収体４ａを避けるよう曲線状に形成され、前方部及び後方部とも境界において括れ（１４ａ，１４ｂ）が施されている（図２参照）。これにより、生理用ナプキンの使用時に下腹部から背側に臀裂に沿って立体的に湾曲変形するときにも、経血等の排泄を主に受ける吸収中央部（排泄領域）ｌ３においては、溝部１４を可撓軸とした特有の幅方向における屈曲性を示す。すなわち、排泄領域ｌ３の吸収体ないしは吸収性本体の長手方向に弓形にそる湾曲抵抗が抑制され、幅方向における可撓性を与えている。その結果、図６に示したように、吸収中央部ｌ３においては股間の形状にそって溝部１４で緩やかに曲がり、身体に対して凸になるよう断面弓形になって湾曲し、物品表面が身体の輪郭に隙間なくフィットする。さらに、この吸収中央部ｌ３において維持される幅方向の適度な屈曲性によって、吸収性本体１の上層吸収体４ａが中央で突出支持するように着用者肌２２に対向し、使用時に両側の防漏壁６ｂ、特に上部空洞領域Ｄ１が潰れすぎることを緩和し、防漏壁６ｂによる適度なフィット性と防漏性とを維持しやすくなる。
【００２２】
本実施形態のナプキンにおいては、前述のとおり、自然形状において、前後の防漏壁６ａ及び６ｃの高さが排泄領域の中央防漏壁６ｂより低くなるようにされている。前方部防漏壁６ａにおいては、そのΩ形状の空洞領域Ｄ１にあたる部分の内部をホットメルトやヒートシール等の接合手段によって接合し、上下面を固定する固着部１１（１１ａ）が形成されている。後方部防漏壁６ｃにおける高さの抑制は、Ω形状の空洞部領域Ｄ１の外部をホットメルト等の接合手段によって接合し、固着部１１（１１ｂ）を形成することでなされている。このように、空洞内外に高さ抑制のための固着部１１を形成することにより、その部分の長手方向における伸縮特性を維持しつつ、その部分の高さを抑制することができる。そのため、吸収性物品を弓形に緩やかに湾曲させながら下腹部から臀裂にわたる身体形状に沿わすフィット性を維持しうる。しかも中央部ｌ３においては、吸収性本体の中高部１ａと防漏壁６とが側壁２３ａとなり、吸収性本体の幅方向周辺部が底面２３ｂとなり、自然形状において中高部１ａの両外側方に肌当接面側に向け凹状となるポケット状部２３が形成される（図１、図６参照）。このような点から、空洞内部に高さ抑制のための固着部１１を設ける実施形態は、曲率変化が大きい部位、すなわち着用者の恥丘に沿わされる前方部防漏壁６ａに適用することが好ましい。一方、空洞下部外面に高さ抑制のための固着部１１を設ける実施形態によれば、空洞を残したまま高さが抑制できるため、後方部防漏壁に適用することが好ましい。そして、その結果防漏壁６のフィット性を高く維持し、着用者の動きに対する追従性が高い。
【００２３】
また、前後の防漏壁６ａ及び６ｃに高さ抑制のための固着部１１が形成されることによって折込部９に対応する折り目が一層効果的に形状固定される。そのため、その形状安定化作用が排泄領域における中央防漏壁６ｂにまで及び、その略「く」の字に屈曲した折込部９の形状が安定する。さらに、中央部防漏壁６ｂの折込部９の間が離間した形状を維持しやすく、Ω形状の空洞部領域Ｄ１を倒れにくくし、かつ折込部９が可撓軸として作用し復元しやすくする効果を奏する（図７参照）。
【００２４】
本実施形態のΩ形状の空洞を内包する防漏壁上部６ｇは、外観的にもエアクッションによる柔らかさを認識しやすい（図７参照）。特に防漏壁上部の肌面当接側部分６ｗの丸みが柔らかさとともに漏れ抑止効果の高さを印象づける。一方、内部空洞が潰れて経血等で濡れている表面シートと接触しても、その接触域となる防漏壁上部の肌面非当接側部分６ｕ及び６ｖは張出部６ｓ（６ｓａ、６ｓｂ）に遮られ平面視において見えず、汚れ（汚物）２９を認識しにくく、清潔な印象を与える。また、実際に使用したときにも防漏壁上部は汚れを起こしにくい機能を有する（図８参照）。さらに本実施形態において折込部９は、Ω形状に賦形された部分を有する防漏壁６を表面シート２と機能的にも視覚的にもその区別を明確化し、着用時の安心感が与えられやすい。また、使用時の圧力によって空洞が潰れ防漏壁６が直接表面シートと接したとしても、接触する面は当接側側部分６ｗであり、汚れ２９が見えないだけでなく、肌が直接汚れることを抑える。特に本実施形態では空洞の両側の張出部６ｓは変形時にも空洞が維持されやすいことから、液が肌と防漏壁との間で滲む防漏壁の汚れも起こりにくく好ましい。
【００２５】
夜用の生理用ナプキンなど近年一層の長尺化がすすむ吸収性物品においては特に、物品長手方向の適度の湾曲状態を得るために伸縮性シートの大きな伸縮力が必要とされが、この大きな伸縮力と防漏壁６の高さを高く維持することとを両立することは難しい。これに対し本実施形態のナプキン１０は、排泄領域（吸収中央部）ｌ３付近まで伸縮性シート７が固着部１１により部分的に固定され高さが抑制された前後防漏壁６ａ，６ｃとされることによって、これらの部分の物品の湾曲とは実質的に独立して、排泄領域である物品中央部ｌ３の中央部防漏壁６ｂの高さを安定して高く維持することができる。また、本実施形態の吸収性本体１は幅方向中央部Ｗ１が２層構造（上層吸収体４ａ、下層吸収体４ｂ）とされ、幅方向中央部Ｗ１が周辺部Ｗ２よりも高く、装着時の圧力によってもその関係は変わらないようになされている。そのため、中央部Ｗ１の中高構造が支持作用を示し防漏壁６内部の空洞領域Ｄ１が潰れにくくされている。この結果、装着時の圧力、動きによる変形にたいしても防漏壁６はフィットし、防漏性も高く維持される。
【００２６】
本実施形態のナプキン１０は、特に中央部の防漏壁６ｂが着用者の肌面を外方からソフトに包み込むようにしてフィットする。しかもその防漏壁６ｂが完全に潰れることはほぼなく、そのため防漏壁６ｂ自体が汚れにくく、着用者の肌を清潔に保つことができる。また、排泄領域における幅方向中央部Ｗ１では中高の吸収性本体１と着用者の肌面との良好な接触が保たれるため、確実に排泄液等をとらえ良好な吸収性を示す。他方、排泄領域の周辺部Ｗ２ではポケット状部２３が形成され物品と肌面との直接の接触がおこりにくくされているため、身体を液が伝わる現象が起こりにくい。そして、防漏壁の張出部６ｓより頂部側部分６ｔ側の肌当接面側部６ｗにおける汚れが抑制・防止されるため、漏れが起こりにくいだけでなく、漏れない印象（安心感）を使用者に与えることができる。
【００２７】
本実施形態の生理用ナプキン１０における、表面シート２、裏面シート３、吸収体４としては、通常この種の物品に用いられる材料を使用することができる。表面シート２としては、液が留まらず透過しやすい材料として、例えば立体的な導液管を有する開孔フィルムや凹凸構造を有する不織布の開孔／未開孔体が好ましい。裏面シート３としてはポリエチレン等の樹脂材料によるフィルムが好ましい。また、吸収体４には、パルプ、高吸収性ポリマーの混合体やポリマーシートを使用することができ、吸収体の上面に液戻り防止性を高める不織布による中間シートを配することも好ましい。
【００２８】
本実施形態のナプキン１０においては、裏面シート３の非肌当接面側、すなわち裏面シート３の外面であって吸収体４と反対側には、下着等の着衣に固定する本体粘着部２５及びウイング部分のウイング粘着部２６が配されている（図１参照）。
【００２９】
本実施形態において上記伸縮性シート７は、シート状であり、伸縮性を有するものであれば、その材料や構造は特に限定されない。例えば、シート材料としては、伸縮性のフィルム、不織布、織物またはそれらの積層シート等が挙げられる。具体的には、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有するフィルム、不織布、織物やこれらフィルムと不織布等の積層物等が挙げられる。上記伸縮性フィルムは、表面シートよりも肌当接面側に使用する場合には、肌触りを良好にするため、又はヒートシール性を向上するために、ポリエチレン／ポリエステル、ポリエチレン／ポリプロピレン、ポリプロピレンからなる熱可塑性不織布と積層し、積層材として用いることが好ましい。このような熱可塑性不織布は、不織布自身が伸縮性を有するように、クリンプ加工した繊維を用いることが好ましく、伸びにくいクリンプ加工していない不織布を積層する場合においては、積層する前にあらかじめ伸縮性フィルムのみを所定の伸張率まで伸張し、不織布材料とホットメルトやヒートシール等によって接着し、弾性フィルムがその他の層をギャザリングするようにしてもよい。
【００３０】
本実施形態において、伸縮性シート７の伸縮性は全体において均一である必要はなく、防漏壁の形状安定性や他の構成材料との複合化の観点から、伸張性を異ならせたり伸縮性のない部分を形成することが好ましい。具体的には、防漏壁６のΩ形状の防漏部上部６ｇの張出部６ｓより上側の肌当接側部６ｗで伸縮性を示すようにすることが好ましい。このようにすることで折込部９の折込み形状を安定化して防漏部上部の影響を防漏部下部により与え難くすることができ、かつ物品長手方向の良好な伸縮性を発現するようにすることができる。一方、下端部１３や幅方向延出部Ｗ３の部分では伸縮機能を発現しないよう弾性部材を配しないことが好ましい。このようにして伸縮シート７の立体形状安定性と柔軟伸縮性とを領域ごとに調節し両立することができ好ましい。
【００３１】
本実施形態のナプキン１０においては、防漏壁６の賦形余部が長手方向外方の前端部ｌ１及び後端部ｌ５に延在している。この前端部ｌ１及び後端部ｌ５においては防漏壁６構造をとらず伸縮性シート７はその弾性機能が消失するようにされている。これにより着用者の肌のあまり凹凸のない下腹部又は尾骨上部に適合し、良好なフィット性や違和感のなさが実現される観点から好ましい。具体的には、弾性部材が配されていても実質的に伸縮機能を発現しないよう弾性部材とシート材料が固定されていない状態としたり、伸縮機能を発現しないよう他の材料（例えば吸収体）とヒートシールや接着剤によって固定したりすることが挙げられる。中でも、前端部ｌ１及び後端部ｌ５での柔軟性の観点から、弾性部材が配されていないか弾性部材とシート材料が固定されていないことが好ましく、シート材料も吸収性本体から離間した部分を有していることが好ましい。
【００３２】
本実施形態の生理用ナプキンは、通常吸収性物品を折り畳んだ形状（包装形態）にして流通・保管し、これを着用時に展開して使用する。そのため本実施形態においては一度折り畳んで包装した後に展開状態（図２参照）としたときの防漏壁の起立形状安定化を考慮し、折り畳み位置に防漏溝１４の括れ（１４ａ、１４ｂ）が形成されている。さらに本実施形態においては防漏壁の高さ抑制の固着部１１の開始位置が、防漏溝１４の括れの位置か、前方ｌ２側ではより前方に後方ｌ４側ではより後方に若干ずれて形成されており、自然形状における防漏壁の起立性が一層高められている。
【００３３】
本発明の吸収性物品について、上記好ましい実施形態としての生理用ナプキンを例に詳しく説明したが、本発明はこれにより限定して解釈されるものではない。本発明の吸収性物品は、生理用ナプキンの他、失禁パッド、パンティライナー、使い捨ておむつ等であってもよいが、身体湾曲形状へのフィット性や防漏性の有用性、及び身体の湾曲形状への変形に吸収性物品以外のサポートを得やすい観点から、装着時にショーツ等を使用する生理用ナプキン又は失禁パッドが好ましく、吸収性物品の長さは２８ｃｍ以上であることが好ましく、３０〜４５ｃｍがより好ましい。
【図面の簡単な説明】
【００３４】
【図１】本発明の吸収性物品の好ましい実施形態である生理用ナプキンを自然形状で一部断面により模式的に示す斜視図である。
【図２】図１に示した生理用ナプキンの断面を拡大して示す部分断面図である。
【図３】図１に示した生理用ナプキンの全体をやや縮小して伸長状態で模式的に示す肌当接面側からみた平面図である。
【図４】図２に示した生理用ナプキンのＩＶ−ＩＶ線断面を拡大して示す部分断面図である。
【図５】図２に示した生理用ナプキンのＶ−Ｖ線断面を拡大して示す部分断面図である。
【図６】本実施形態の生理用ナプキンの着用時の状態を図２に示したＩ−Ｉ線断面において示す使用状態説明図である。
【図７】本実施形態の生理用ナプキンの防漏壁の変形挙動を図２に示した拡大断面によりさらに模式化して示す使用状態説明図である。
【図８】本実施形態の生理用ナプキンの防漏壁の別の変形挙動を図２に示した拡大断面によりさらに模式化して示す使用状態説明図である。
【符号の説明】
【００３５】
１  吸収性本体
２  表面シート
３  裏面シート
４  吸収体
６  防漏壁
７  伸縮性シート
９  折込部
１０  生理用ナプキン（吸収性物品）
１１  固着部
１２  弾性部材
１３  防漏壁の下端部（固定部）
１４  溝部
１７  周縁シール部
１８  ウイング
２１  小凸部
２２  着用者の肌面
２３  ポケット状部
２５  本体粘着部
２６  ウイング粘着部
【図１】
0005119041.tif 000002
【図２】
0005119041.tif 000003
【図３】
0005119041.tif 000004
【図４】
0005119041.tif 000005
【図５】
0005119041.tif 000006
【図６】
0005119041.tif 000007
【図７】
0005119041.tif 000008
【図８】
0005119041.tif 000009